(57)【要約】【課題】半月板損傷等の膝関節の障害の治療と同時に予防するために使用者が膝関節の屈伸などの動作を容易に行うことができる膝関節治療器具を提供することを課題とする。【解決手段】使用者が膝を載置して膝関節を屈伸させるための膝関節治療器具１００であって、略楕円形の横断面を有して前記横断面の少なくとも膝関節載置面に丸みを有し膝裏載置面４ａとされている載置部材４と、前記載置部材４を回動軸６を介して支持する支持部５を有する支柱２を少なくとも１つ有する支持台３とを備え、前記支持部５は、前記載置部材が回動軸を回動軸線７を中心に回動可能で且つ前記載置部材４の前記支持台３の設置高さが調整可能なように、高さ方向に所要数連続して設けられた連結構造を有し、前記支柱２は基台１に立設され、前記載置部材４の回動範囲を規制する回動規制溝８を支柱２に備える膝関節治療器具。【選択図】図１
2018027268.tif 000002
【特許請求の範囲】
【請求項１】
使用者が膝を載置して膝関節を屈伸させるための膝関節治療器具であって、
略楕円形の横断面を有して前記横断面の少なくとも膝関節載置面に丸みを有し膝裏載置面とされている載置部材と、
前記載置部材を回動軸を介して支持する支持部を有する支柱を少なくとも１つ有する支持台とを備え、
前記支持部は、前記載置部材が回動軸を回動軸線を中心に回動可能で且つ前記載置部材の前記支持台の設置高さが調整可能なように、高さ方向に所要数連続して設けられた連結構造を有し、前記支柱は基台に立設され、前記載置部材の回動範囲を規制する回動規制機構を前記支柱に備える膝関節治療器具。
【請求項２】
前記支持台は、前記基台に互いに対向するように立設された一対の柱状の前記支柱を有し、
前記連結構造を有する支持部は、高さ方向に延びる第１孔部と、前記第１孔部で連結され、前記載置部材を、前記回動軸線の周りに回動可能に支持する複数の第２孔部と含む貫通孔で構成されており、
一対の前記支柱の互いに対向する面に所定幅で鉛直方向に延びる帯状の一対の回動規制溝が形成されている、請求項１に記載の膝関節治療器具。
【請求項３】
前記支持台の前記基台両端に両基端部を固定され、膝頭上側又は膝頭下側を緊固定する少なくとも一本の固定帯状部材とを備える、請求項１又は２に記載の膝関節治療器具。
【請求項４】
前記載置部材の少なくとも一端の回動軸上に弾性部材が被装されて、前記支持部に取り付けられてなることを特徴とする、請求項１乃至３のいずれか１項に記載の膝関節治療器具。
【発明の詳細な説明】
【技術分野】
【０００１】
本発明は、膝関節治療器具に係り、より詳しくは、半月板損傷や変形といった膝関節の障害の治療と同時に予防するために体の大きさが異なる使用者が膝関節の屈伸などの動作（膝をひねったりせずに、まっすぐ屈曲・伸展などする動作）を容易に行うことができる膝関節治療器具に関するものである。
【背景技術】
【０００２】
膝関節を治療させる器具として、四以上の長さが異なる支持体の端部どうしを相互に回転可能に連結した器具が知られている（例えば、特許文献１参照）。
また、使用者が仰向けに寝た状態又は座位状態で膝関節を支えつつ膝関節の運動を行う健康器具であって、三角柱の一側面を底面とした支持体と、使用者の膝よりつま先の側に装着されて膝を使用者が引き寄せ可能な補助具とを備えたものが知られている（例えば、特許文献２参照）。
【先行技術文献】
【特許文献】
【０００３】
【特許文献１】特開２００９−２６８７８５号公報
【特許文献２】特開２０１６−７３６１９号公報
【発明の概要】
【発明が解決しようとする課題】
【０００４】
半月板は膝関節の大腿骨と脛骨の間にある三日月型の軟骨組織で内側及び外側にそれぞれあり、膝関節に加わる衝撃が一か所に集中しないように分散するクッションの役割や膝関節を安定させる等の機能を有する。
【０００５】
膝が曲がらない、伸びない症状は、下肢の筋肉の疲労が原因である。筋肉の疲労が原因で筋肉に拘縮や筋肉の張りが起こり、正常な関節の位置関係が維持できなくなる。これが常態化すると膝が曲がらない、伸びない等の症状が現れる。
【０００６】
このような状態で無理な屈伸を続けると、半月板の特定の一点に集中的に負荷がかかり、半月板が変形していき、限界点に達したときに半月板損傷や変形が起こる。この「半月板損傷」のような膝関節の障害は他に「オスグット病」や「変形膝関節症」などがある。
【０００７】
上述の従来の器具には、半月板損傷や変形をはじめとするオスグット病や変形膝関節症といった膝関節の障害を治療し且つ予防するために適した膝関節の運動を容易に行うことが困難であるという課題があった。
【０００８】
本発明においては、半月板損傷や変形をはじめとするオスグット病や変形膝関節症といった膝関節の障害を治療と同時に予防するために体の大きさが異なる使用者が膝関節の屈伸などの動作（膝をひねったりせずに、まっすぐ屈曲・伸展などする動作）を容易に行うことができる膝関節治療器具を提供することを目的とする。
【課題を解決するための手段】
【０００９】
請求項１に係る発明は、使用者が膝を載置して膝関節を屈伸させるための膝関節治療器具であって、略楕円形の横断面を有して前記横断面の少なくとも膝関節載置面に丸みを有し膝裏載置面とされている載置部材と、前記載置部材を回動軸を介して支持する支持部を有する支柱を少なくとも１つ有する支持台とを備え、前記支持部は、前記載置部材が回動軸の回動軸線を中心に回動可能で且つ前記載置部材の前記支持台の設置高さが調整可能なように、高さ方向に所要数連続して設けられた連結構造を有し、前記支柱は基台に立設され、前記載置部材の回動範囲を規制する回動規制機構を前記支柱に備える膝関節治療器具である。ここで「略楕円形」とは楕円状の形状を言う。「所要数」とは一以上の数を言う。
【００１０】
請求項２に係る発明は、前記支持台は、前記基台に互いに対向するように立設された一対の柱状の前記支柱を有し、前記連結構造を有する支持部は、高さ方向に延びる第１孔部と、前記第１孔部で連結され、前記載置部材を、前記回動軸線の周りに回動可能に支持する複数の第２孔部と含む貫通孔で構成されており、一対の前記支柱の互いに対向する面に所定幅で鉛直方向に延びる帯状の一対の回動規制溝が形成されている、請求項１に記載の膝関節治療器具である。
【００１１】
請求項３に係る発明は、前記支持台の前記基台両端に両基端部を固定され、膝頭上側又は膝頭下側を緊固定する少なくとも一本の固定帯状部材を備える、請求項１又は２に記載の膝関節治療器具である。
【００１２】
請求項４に係る発明は、前記載置部材の少なくとも一端の回動軸上に弾性部材が被装されて、前記支持部に取り付けられてなることを特徴とする、請求項１乃至３のいずれか１項に記載の膝関節治療器具である。
【発明の効果】
【００１３】
請求項１に係る発明の膝関節治療器具によれば、使用者が膝関節を伸展した時に膝裏載置面が脛骨上端部に対向する第１角度と使用者が膝関節を屈曲した時に膝裏載置面が大腿骨下端部に対向する第２角度とを載置部材の回動限度とする角度範囲を所定の角度範囲に設計できる。例えば、補助者が使用者の膝関節の大腿骨下端部付近を手で押した状態で使用者が膝関節を伸展すると、載置部材が第１角度まで回動し、膝裏載置面が脛骨上端部に対向して、膝関節の脛骨上端部の近傍部位が圧迫される。
【００１４】
例えば、補助者が使用者の膝関節の脛骨上端部付近を手で押した状態で使用者が膝関節を屈曲すると、載置部材が第２角度まで回動し、膝裏載置面が大腿骨下端部に対向して、膝関節の大腿骨下端部の近傍部位が圧迫される。これにより、半月板に圧力を均等に加えることができるので、使用者が膝関節の屈伸などの動作（膝をひねったりせずに、まっすぐ屈曲・伸展などする動作）を容易に行うことができ膝関節の障害を好適に治療し且つ予防することができる。しかも、載置部材の支持台の設置高さを調整することによって、膝裏載置面の高さを変えることができるので、上述の膝関節の屈伸を使用者の体格に合わせて効果的に行うことができ、丸みを帯びて形成されている載置部材の膝裏載置面が、好適に膝裏に当接して、膝の屈伸による膝の障害の治療を効果的に行うことができる。その結果、半月板損傷や変形をはじめとするオスグット病や変形膝関節症といった膝関節の障害を治療し同時に予防する効果を奏する。
【００１５】
請求項２に係る発明の膝関節治療器具によれば、前記支持台は基台をさらに有しているので安定した膝関節の屈伸運動を行うことができ、回動軸が、膝裏載置面の向き及び高さの調整を兼ね、溝が形成されていることにより簡単な構成で載置部材が許容可能な回動範囲を超えて回動することを規制することができるので膝関節治療器具の構成を簡素化する効果を奏する。
【００１６】
請求項３に係る発明の膝関節治療器具によれば、一対の固定帯状部材をそれぞれ適宜な長さに選択し、この一対の固定帯状部材をタスキ状に交差させて、一方の固定帯状部材の先端部を膝関節の大腿骨下端部付近にひっかけ、他方の固定帯状部材の先端部を膝関節の脛骨上端部付近にひっかけることができる。          
使用者が膝関節を伸展すると、載置部材が第１角度まで回動し、膝裏載置面が脛骨上端部に対向して、膝関節の脛骨上端部近傍部位が膝裏載置面によって圧迫され、大腿骨下端部は固定帯状部材の先端部とによって圧迫される。次いで、使用者が膝関節を屈曲すると、載置部材が第２角度まで回動し、膝裏載置面が大腿骨下端部に対向して、膝関節の大腿骨下端部近傍部位が膝裏載置面によって圧迫され、脛骨上端部が固定帯状部材の先端部とによって圧迫される。これにより、半月板に圧力を均等に加えることができ、例えば、使用者が一人で膝関節の屈伸などの動作（膝をひねったりせずに、まっすぐ屈曲・伸展などする動作）を容易に行うことができ膝関節の障害を好適に治療し且つ予防することができる効果を奏する。
【００１７】
請求項４に係る発明は、前記一対の支柱の互いに対向する面と前記載置部材の両端との間に隙間が形成されており、前記回動軸線に沿う方向において、前記載置部材を両側から互いに反対方向に一対の弾性体を備えることにより、使用者が膝関節を屈伸する際の膝関節の横方向のブレを、載置部材が回動軸線に沿った方向に弾性移動することによって吸収することができる。その結果、使用者がスムーズに膝関節を屈伸することができる効果を奏する。
【図面の簡単な説明】
【００１８】
【図１】図１は、本発明の実施の形態１に係る膝関節治療器具の構造を示す斜視図である。
【図２】図２は、図１の膝関節治療器具を構成する支持台の構成を示す斜視図である。
【図３】図３は、図１の膝関節治療器具を構成する載置部材の構成を示す斜視図である。
【図４】図４は、図１の膝関節治療器具を構成する鍔付き回動軸の構成を示す斜視図である。
【図５】図５は、図１の膝関節治療器具の使用方法を示す図であって、（ａ）は、膝関節を伸展した状態を示す図、（ｂ）は、膝関節を屈曲した状態を示す図、（ｃ）は、膝関節を屈伸した場合における載置部材の回動動作を示す図である。
【図６】図６は、本発明の実施の形態２に係る膝関節治療器具の構造を示す斜視図である。
【図７】図７は、本発明の実施の形態３に係る膝関節治療器具の構造を示す斜視図である。
【図８】図８は、本発明の実施の形態４に係る膝関節治療器具の構造を示す斜視図である。
【発明を実施するための形態】
【００１９】
図１は、本発明の実施の形態１に係る膝関節治療器具の構造を示す斜視図である。
図１を参照すると、本発明の実施の形態１の膝関節治療器具１００は、使用者が膝裏載置面４ａに膝裏を載置して膝関節を屈伸するための膝関節治療器具であって、略楕円形の端面４ｂを有して回動軸線７に沿って延在し、且つ、膝裏載置面４ａを有する載置部材４と、載置部材４を支持する支柱２を少なくとも１つ有する支持台３と、載置部材４が回動軸６の回動軸線７の周りに回動可能で且つ載置部材４の支持台３の設置高さが調整可能なように、載置部材４の少なくとも一方の端部を支柱２の支持部５に連結し、載置部材４の回動を所定の角度範囲に規制する回動規制溝８と、を備える。膝裏載置面４ａは、載置部材４の略楕円形の横断面の長手方向における両側の縁部のうち、載置部材４の所定の角度範囲の回動において上側に位置する縁部の表面であり、且つ、前記横断面において丸みを有するように形成されている。
【００２０】
図２は、図１の膝関節治療器具を構成する支持台３の構成を示す斜視図である。
図１及び図２を参照すると、支持台３は、基台１と、この基台１の上面に立設された支柱２とを含む。支持台３は、ここでは、一対の支柱２を含む。但し、支柱２は一つのみでもよい（後述する実施の形態４及び図８参照）。基台１は、ここでは、板状であるが、形状は特に限定されない。
【００２１】
一対の支柱２は、所定の間隔を有して互い対向するように立設されている。なお、基台１と支柱２とは一体的に形成されていてもよい。一対の支柱２は、例えば、板状（薄い四角柱状）であるが形状は特に限定されない。
一対の支柱２の互いに対向する面（以下、内側面という）には、鉛直方向に延びる帯状の一対の回動規制溝が、それぞれ形成されている。この一対の回動規制溝は、その側端部に載置部材の角が当接することにより載置部材の回動を規制する回動規制機構を構成している。以下、回動規制溝８と記載する。
この一対の支柱２に一対の支持部５が形成されている。一対の支持部５は、一対の鍔付き回動軸４１（図４参照）の軸部４１ｂがそれぞれ嵌挿されて摺動可能なように形成されており、且つ、載置部材４の回動軸線７の延在方向から見て一致する形状に形成されている。
一対の支持部５は、それぞれ、鉛直方向に延びる第１孔部５ａと、第１孔部５ａの複数の部位からそれぞれ下方に延びる複数の第２孔部５ｂと、を含む貫通孔で構成される。
【００２２】
図３は、本発明の実施の形態３に係る膝関節治療器具の構造を示す斜視図である。
図３は、図１の膝関節治療器具を構成する載置部材４の構成を示す斜視図である。図３を参照すると、載置部材４は、略楕円形の横断面を有して回動軸線７に沿って延在し、且つ、膝裏載置面４ａを有する。載置部材４は、ここでは、矩形状の横断面を有して回動軸線７に沿って延在する扁平な四角柱状に形成されている。膝裏載置面４ａは、載置部材４の略楕円形の横断面の長手方向における両側の縁部のうち、載置部材の所定の角度範囲の回動において上側に位置する縁部の表面であり、且つ、横断面において丸みを有するように形成されている。載置部材４の略楕円形の横断面の長手方向は、ここでは、矩形状の横断面の長手方向、すなわち、図３における上下方向である。載置部材４の両端部の端面４ｂには、回動軸線７と同軸に形成された一対のねじ孔３１が形成されている。ねじ孔３１には雌ねじが形成されていて、このねじ孔３１に図４の鍔付き回動軸４１が螺止されている。
【００２３】
図４は、図１の膝関節治療器具１００を構成する鍔付き回動軸４１の構成を示す斜視図である。
図４を参照すると、鍔付き回動軸４１は、鍔部４１ａと鍔部４１ａから延出する鍔部４１ａより小径の軸部４１ｂとを有する。軸部４１ｂには雄ねじが形成されていて、この軸部４１ｂが載置部材４のねじ孔３１に螺合する。軸部４１ｂにはワッシャ４２が嵌められている。
図１乃至図４を参照すると、載置部材４の一対のネジ孔３１の深さ（長さ）は、鍔付き回動軸４１の軸部４１ｂの先端がネジ孔３１の底（先端）に当接したときに、鍔付き回動軸４１の鍔部４１ａと載置部材４の横断面４ｂと間の間隔が支持部５における支柱２の厚み（回動軸線７に沿う方向における支柱２の寸法）とワッシャ４２の厚みとの合計寸法より所定の隙間の分だけ大きい寸法に設計されている。この所定の隙間は、載置部材４が鍔付き回動軸４１によって支柱２に押し付けられてその回動が妨害されることを防止するために確保される。
【００２４】
一対の鍔付き回動軸４１の軸部４１ｂが、それぞれ、一対の支柱２の一対の支持部５の互いに同じ高さに位置する第２孔部５ｂの先端部に挿通され、且つ、載置部材４のねじ孔３１に螺合されている。一対の鍔付き回動軸４１は、それぞれの軸部４１ｂの先端が載置部材４の一対のねじ孔３１の先端に当接するようねじ込まれ且つ締め付けられて、当該一対のねじ孔３１に螺止されている。これにより、一対の鍔付き回動軸４１が一対の支柱２に対して載置部材４と一体的に回動可能になり、且つ、当該一対の鍔付き回動軸４１の軸部４１ｂが載置部材４を一対の支柱２に対して支持する。
【００２５】
図５は、図１の膝関節治療器具１００の使用方法を示す図であって、（ａ）は、膝関節を伸展した状態を示す図、（ｂ）は、膝関節を屈曲した状態を示す図、（ｃ）は、膝関節を屈伸した場合における載置部材の回動動作を示す図である。図５（ａ）乃至図５（ｃ）において、参照符号５１は、使用者の足を示し、参照符号５２は、補助者の手を示す。
図５を参照すると、載置部材４の回動における所定の角度範囲は、例えば、使用者が膝関節５１ａを伸展した時に載置部材４の膝裏載置面４ａが脛骨上端部５１ｂに対向する第１角度と、使用者が膝関節５１ａを屈曲した時に載置部材４の膝裏載置面４ａが大腿骨下端部５１ｃに対向する第２角度と、を載置部材４の回動限度とする角度範囲に設計される。
【００２６】
図１及び図２を参照すると、回動規制溝８の所定幅は、一対の第２孔部５ｂの先端部に位置する一対の鍔付き回動軸４１の軸部４１ｂによって螺止された載置部材４が、所定の回動範囲の両側の限度角度までに回動した場合に載置部材４の横断面の長手方向における一方の側縁部（ここでは上側の側縁部）が回動規制溝８の内側面に当接する幅である。
【００２７】
［動作及び使用方法］
以上のように構成された実施の形態１の膝関節治療器具１００の動作及び使用方法を、図１乃至図５を用いて説明する。
図１乃至図４を参照すると、使用者は、まず、載置部材４１を、膝裏載置面４ａが当該載置部材４１の所定の角度範囲の回動において上側に位置し、且つ、回動軸線７が水平になるように保持し、その両端部の一対のネジ孔３１に、一対の鍔付き回動軸４１の軸部４１ｂを、それぞれ、一対の支持部５の一対の第１孔部５ａを通して螺止し、当該一対の鍔付き回動軸４１の軸部４１ｂを一対の支持部５の互いに同じ且つ所望の高さに位置する第２孔部５ｂの先端部に位置させる。これにより、一対の鍔付き回動軸４１が一対の支持部５に対して載置部材４と一体的に回動可能になり、且つ、当該一対の鍔付き回動軸４１の軸部４１ｂが載置部材４を一対の支柱２に対して支持する。
【００２８】
その結果、膝裏載置面４ａが上側に位置した状態で、載置部材４が水平な回動軸線７の周りに所定の角度範囲において回動可能に且つ所望の高さに一対の支柱２によって支持される。使用者は、載置部材４を、両端に螺止された一対の鍔付き回動軸４１の軸部４１ｂを、一対の支柱２の第１孔部５ａを経由して、所望の第２孔部５ｂの先端部に移動させることにより、載置部材４の支持台３の設置高さを、所望の高さに調整することができる。
【００２９】
図５（ａ）乃至図５（ｃ）に示すように、使用者は、仰臥位又は座位で膝関節治療器具１００を用いて、膝関節を屈伸する。
図５（ａ）に示すように、補助者が使用者の膝関節５１ａの大腿骨下端部５１ｃ付近を手５２で押した状態で使用者が膝関節５１ｃを伸展すると、載置部材４が、第２角度から、使用者の足５１の先端に向かって第１角度まで回動する。これにより、膝裏載置面４ａが脛骨上端部５１ｂに対向して、膝関節５１ａの脛骨上端部５１ｂの近傍部位が圧迫される。
図５（ｂ）に示すように、補助者が使用者の膝関節５１ａの脛骨上端部５１ｃ付近を手で押した状態で使用者が膝関節５１ａを屈曲すると、載置部材４が、第１角度から、使用者の足５１の基端に向かって第２角度まで回動する。これにより、膝裏載置面４ａが大腿骨下端部５１ｃに対向して、膝関節５１ａの大腿骨下端部５１ｃの近傍部位が圧迫される。
【００３０】
このように、膝関節治療器具１００では、図５（ｃ）に示すように、補助者が手５２を使用者の膝関節５１ａの付近を押した状態で、使用者が膝関節５１ａを屈伸すると、この膝関節５１ａの屈伸に追随して、載置部材４が回動するので、膝関節５１ａをひねったりせずに、まっすぐ屈曲・伸展などする動作をすることができる。その結果、膝関節５１ａの障害を好適に治療し且つ予防することができる。しかも、載置部材４の支持台３の設置高さを調整することによって、膝裏載置面４ａの高さを変えることができるので、上述の膝関節５１ａの屈伸を使用者の体格に合わせて効果的に行うことができる。その結果、半月板損傷や変形をはじめとするオスグット病や変形膝関節症といった膝関節５１ａの障害を治療し且つ予防するために使用者が容易に膝関節５１ａを屈伸することができる。
【００３１】
図６は、本発明の実施の形態２に係る膝関節治療器具の構造を示す斜視図である。図６に示すように、実施の形態２の膝関節治療器具２００は、平面視における支持台３の基台１の載置部材４の回動軸線７の両側の所定部位に両端がそれぞれ固定された、所定長さの一対の固定帯状部材６１，６２をさらに備える。これ以外の構成は、実施の形態１の膝関節治療器具１００と同じである。一対の固定帯状部材６１、６２は、それぞれ適宜な長さに選択される。具体的には、使用者の体格に合わせて、以下の動作が適切に行われるような長さに選択される。
【００３２】
この実施の形態２の膝関節治療器具２００の使用方法を、図５及び図６を参照して説明する。まず、一対の固定帯状部材６１、６２をタスキ状に交差させて、一方の固定帯状部材６１の先端部を膝関節５１ａの大腿骨下端部５１ｃ付近にひっかけ、他方の固定帯状部材６２の先端部を膝関節５１ａの脛骨上端部５１ｂ付近にひっかける。そして、使用者が膝関節５１ａを伸展すると、載置部材４が第１角度まで回動し、膝裏載置面４ａが脛骨上端部５１ｂに対向して、膝関節５１ａの脛骨上端部５１ｂの近傍部位が膝裏載置面４ａによって圧迫され、大腿骨下端部５１ｃは固定帯状部材６１の先端部とによって圧迫される。次いで、使用者が膝関節５１ａを屈曲すると、載置部材４が第２角度まで回動し、膝裏載置面４ａが大腿骨下端部５１ｃに対向して、膝関節５１ａの大腿骨下端部５１ｃの近傍部位が膝裏載置面４ａによって圧迫され、脛骨上端部５１ｃが固定帯状部材６２の先端部とによって圧迫される。これにより、半月板に圧力が均等にかかり膝関節５１ａをひねったりせずに、まっすぐ屈曲・伸展などする動作をすることができるので、膝関節の障害を好適に治療し且つ予防することができる。
【００３３】
図８は、本発明の実施の形態３に係る膝関節治療器具の構造を示す斜視図である。図８に示すように、実施の形態３の膝関節治療器具３００では、一対の支柱２の互いに対向する表面（内側面）と載置部材４の両端４ｂとの間に隙間７１が形成されており、回動軸線７に沿う方向において、載置部材４を両側から互いに反対方向に弾性的に付勢する一対の弾性付勢機構７２をさらに備えている。実施の形態３の膝関節治療器具３００は、これ以外の構成は、実施の形態１の膝関節治療器具１００と同じである。一対の弾性付勢機構７２は、載置部材４を両側から互いに反対方向に弾性的に付勢するものであれば、どのような構成であってもよい。一対の弾性付勢機構７２は、ここでは、鍔付き回動軸４１の軸部４１ｂの隙間７１に位置する部分に嵌合された一対のコイルばねで構成されている。
このように構成された膝関節治療器具３００によれば、使用者が膝関節５１ａを屈伸する際の膝関節５１ａの横方向のブレを、載置部材４が回動軸線７に沿った方向に弾性移動することによって吸収することができる。その結果、使用者がスムーズに膝関節５１ａを屈伸することができる。
【００３４】
図９は、本発明の実施の形態４に係る膝関節治療器具の構造を示す斜視図である。図８に示すように、実施の形態４の膝関節治療器具４００では、支持台３が、１つの支柱２のみを含む。このため、支柱２、支持部５、及び鍔付き回動軸４１（図２乃至図４参照）は、実施の形態１の支柱２、支持部５、及び鍔付き回動軸４１に較べて、機械的強度の高い構造に構成される。このような機械的強度の高い構造には周知の構造を適用することができる。従って、その詳細な説明を省略する。
このような実施の形態４の膝関節治療器具４００によっても、実施の形態１の膝関節治療器具１００と同様の効果が得られる。
【００３５】
（その他の実施の形態）
実施の形態１乃至４では、回動規制機構として回動規制溝８を例示したが、回動規制機構は、載置部材４の回動を所定の角度範囲に規制するものであればどのような機構であってもよい。例えば、載置部材４の端面に回動軸線７に沿う方向に突出係合突起を設け、支柱２の内側面に回動軸線７に沿う方向に突出する一対の係止突起を設け、突出係合突起と一対の係止突起とが、載置部材の所定の角度範囲における回動限度角度において、互い係合するように、突出係合突起及び一対の係止突起を配置してもよい。
【００３６】
実施の形態２において、一対の固定帯状部材６１，６２に長さ調整具（例えば、バックル）をそれぞれ設けてもよい。これにより、固定帯状部材６１，６２を最適な長さに調整できる。また、足５１を一対の固定帯状部材６１．６２と載置部材４の膝裏載置面４ａとの間に通すときには、長さ調整具により、一対の固定帯状部材６１，６２をゆるめることにより、スムーズに足５１を通すことができ、且つ膝関節の屈伸を好適に行うことができる。また、一対の固定帯状部材６１．６２の両端をそれぞれ弾性部材を介して、基台１に固定してもよい。これにより、適宜な圧力で弾性的に足５１を締め付けることができる。
【００３７】
実施の形態１乃至４において、載置部材４の端面に螺止された鍔付き回動軸４１の軸部４１ｂが支持部５の第２孔部５ｂに挿通されて支持される構造を例示したが、この構造は、載置部材４が水平な回動軸線７の周りに回動可能で且つ載置部材４の支持台３の設置面からの高さが調整可能なように、載置部材４の少なくとも一方の端部を支柱２の支持部５に連結するものであれば、どのようなものでもよい。例えば、載置部材の端面に回動軸線７と同軸の軸部を設け、この軸部が支柱２の支持部５に挿通されて支持される構造であってもよい。この場合、例えば、当該軸部の先端に雄ねじを形成し、この雄ねじにナットを螺合して、載置部材４の回動軸線７に沿う方向の移動が規制される。また、載置部材を回動軸線７の周りに回動自在に支柱２に固定し、支柱２の高さを調整する高さ調整機構を設けてもよい。
【００３８】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造および／又は機能の詳細を実質的に変更できる。
【産業上の利用可能性】
【００３９】
本発明は、膝裏載置面の高さの調整できるので、体の大きさが異なる使用者にも容易に膝関節の屈伸などの動作（膝をひねったりせずに、まっすぐ屈曲・伸展などする動作）が可能であるため、膝関節障害の治療及び予防に広く利用可能である。
【符号の説明】
【００４０】
１  基台      
２  支柱
３  支持台
４  載置部材
４ａ  載置面
４ｂ  端面
５  支持部
５ａ  第１孔部
５ｂ  第２孔部
６  回動軸
７  回動軸線
８  回動規制溝
３１  ねじ孔
４１  鍔付き回動軸
４１ａ  鍔部
４１ｂ  軸部
４２  ワッシャ
５１  足
５１ａ  膝関節
５１ｂ  脛骨上端部
５１ｃ  大腿骨下端部
５２  手
６１、６２  固定帯状部材
７１  隙間
７２  弾性付勢機構
１００、２００、３００、４００  膝関節治療器具
【図１】
2018027268.tif 000003
【図２】
2018027268.tif 000004
【図３】
2018027268.tif 000005
【図４】
2018027268.tif 000006
【図５】
2018027268.tif 000007
【図６】
2018027268.tif 000008
【図７】
2018027268.tif 000009
【図８】
2018027268.tif 000010